(57)【要約】【課題】ビン等の蓋を容易に開けるための用具を提供する。【解決手段】所定厚の環状の前部とこの前部に連続する握持部を有するとともに、握持部内に中空部を有する外体を設け、一方、その前端に押圧体を有する中空体を設けるとともに、該中空体内に螺合回動にて出入り可能なる回動軸と該回動軸端に固着されるハンドルを有する内体を設け、該内体を握持部の中空部内に位置させるとともに、握持部に対する回動軸およびハンドルの平行移動阻止手段を設けることにより、ハンドル回動による外体に対する押圧体の平行移動とその位置保持が可能となるよう構成したことを特徴とする。【選択図】図７
2011240988.tif 000002
【特許請求の範囲】
【請求項１】
所定厚の環状の前部とこの前部に連続する握持部を有するとともに、握持部内に中空部を有する外体を設け、一方、その前端に押圧体を有する中空体を設けるとともに、該中空体内に螺合回動にて出入り可能なる回動軸と該回動軸端に固着されるハンドルを有する内体を設け、該内体を握持部の中空部内に位置させるとともに、握持部に対する回動軸およびハンドルの平行移動阻止手段を設けることにより、ハンドル回動による外体に対する押圧体の平行移動とその位置保持が可能となるよう構成したことを特徴とする蓋体被嵌容器の容器本体押圧保持具。
【発明の詳細な説明】
【技術分野】
【０００１】  この発明は、ビン容器その他の蓋体被嵌容器の蓋体を開ける場合に用いて便利なる蓋体被嵌容器の容器本体押圧保持具に関する。
【背景技術】
【０００２】  従来より、ビン等に固定されている蓋体を開けるために、この蓋体を握持して容易に回すための用具はあったが、ビン本体を固定する用具は見あたらない。
【発明の開示】
【発明が解決しようとする課題】
【０００３】  従来より、主に液体や食品を入れる容器として、ビンや合成樹脂容器が多用されている。
ビン容器の中で、ジャムや総菜等には小型の広口ビンがよく用いられている。
この小型広口ビンは、金属製の蓋が内部保護のための堅く固定されているため、これを開けるにはかなりの力が必要となる。そのため、この蓋を回して開けるための用具が市販されている。この市販用具を用いる場合、ビン本体を手で押さえながら、この用具を蓋に装着して、テコの原理で開けるのであるがビン本体にもトルクがかかり、ビンを押さえる力が弱いと蓋とともにビン本体が回るためにフタを開けることができない。
すなわち従来の市販用具は、いずれも蓋に主眼をおいた発想であり、既述のような問題を有するものであった。
本発明は、以上のような従来からのビン蓋を開ける手段に関わる課題を解決するために発明されたもので、ビン本体を容易に固定する手段を提供するものであり、既述の市販用具と併用することにて、だれでも容易にビン等の蓋を開けることのできる新規かつ有用なる手段を得ることを目的として開発されたものである。
【課題を解決するための手段】
【０００４】  課題を解決する手段として本発明は以下の構成とした。
すなわち、所定厚の環状の前部とこの前部に連続する握持部を有するとともに、握持部内に中空部を有する外体を設け、一方、その前端に押圧体を有する中空体を設けるとともに、該中空体内に螺合回動にて出入り可能なる回動軸と該回動軸端に固着されるハンドルを有する内体を設け、該内体を握持部の中空部内に位置させるとともに、握持部に対する回動軸およびハンドルの平行移動阻止手段を設けることにより、ハンドル回動による外体に対する押圧体の平行移動とその位置保持が可能となるよう構成する。本発明は以上の構成よりなる蓋体被嵌容器の容器本体押圧保持具である。
【発明の効果】
【０００５】  本発明は、以下の効果を有する。
１．ハンドル操作にて押圧体の平行移動とその位置保持が可能のため、外体環状部内のビ  ン等をしっかりと固定することができ、市販の蓋開け用具と併用することにて、蓋を容  易に開けることができる。
２．螺合方式にて押圧体の平行移動を行うため、押圧体の微細な位置調整が可能であり、  ビンサイズに適合した押圧保持ができ、かつ非操作による押圧体位置変化を防止するこ  とができる。
３．外体の環状部内面と押圧体面に高摩擦係数素材を設けることにて、ビン等押圧時の安  定性を高めることができる。
４．構造シンプルにして操作容易のため、比較的安価にて製造でき、扱いやすい物品を提  供できる。
【発明を実施するための最良の形態】
【０００６】  以下、本発明の実施形態について説明する。
図において、１は外体である。この外体は平面視略環状の前部２に連続して略角柱状の握持部３が設けられてその主要形状が形成される。前部の略環状部内面の一部は切除されて空隙４が設けられ、握持部上面には上方に突出する角柱状の上凸部５が握持部と一体に形成される。６は蓋板で、握持部端と同形の平板略中央に半円形の弧状凹部７が形成され、この蓋板は握持部後端に固着される。また、握持部内には角形の中空部８が設けられるが、外体は縦方向中央より二分割可能であり、握持部の非中空部側面には、一方に係合突起９が、他方には係合凹部が各々形成され、互いに係合して図１のごとくその形状が保たれる。
１０は適度の弾力と摩擦係数を有する軟質合成樹脂による固定側クッション体で、その一方の側面には溝１１が連設され、このクッション体は外体前部内面適宜位置に固着される。
２０は内体である。２１は中空角体、２２はその中央に雌ねじを有する板状の螺合体で、中空角体の一端に固着される。２３は雄ねじを刻設した所定長の回動軸、２４は回動軸と一体形成される円板状のストッパーで、該ストッパー右方には雄ねじを有さない円柱状部分２５が形成され、ハンドル２６が固着される。中空角体の他端には円弧状側面を有する押圧体２７が一体に形成され、該押圧体側面適所には前記クッション体と同様の可動側クッション体２８が固着される。以上の内体は図６のごとく握持部内に収容される。
すなわち、中空角体は中空部内に位置し、ストッパーは前記蓋板の内側面に接し、円柱状部分は弧状凹部内に位置し、ハンドルは蓋板外面に近接して位置する。
ハンドル回動にて回動軸は回動し、回動軸と螺合している螺合体と該螺合体に固着している中空角体および押圧体は外体に対して平行移動する。つまり螺合体とストッパーおよびハンドルとの関係にて、螺合体に対する回動軸の平行移動は阻止されるために、押圧体の平行移動がなされる。【０００７】  本発明使用に際しては、図６および図７のごとく係合突起を係合凹部に挿入して一体化した外体内に、内体を位置させる。このとき、回動軸を螺合させた中空角体は中空部内に位置し、円柱状部分は双方の弧状凹部内に位置する。外体の前部内にビン等を置いてハンドルを回すことにて押圧体は前部側に移動し、やがて双方のクッション体にビンは押圧接触して強固に固定され、市販の蓋開け具等をビンの蓋に装着して回すことにより蓋を容易に開けることができる。作業後は既述と逆にハンドルを回して押圧体をビンから離し、ビンを取り出して用いることができる。
以上、本発明について記したが、本発明は蓋体被嵌容器の安定強力保持を目的として、市販用具との併用にて蓋体を容易に開ける機能を有するものである。従来はこのような用具がなく、ビン本体を手で押さえて蓋体を回す方式であるために、ビンにかかるトルク力に逆らってビンを手で押さえなければならず、ときには蓋とともにビンが回ってフタを開ける場合に難儀することもあったが、本発明の使用にてこれが解消されるものとなったのである。また、本発明では螺合回動による押圧体移動方式を用いており、ビンに対する強固な保持力を発揮するとともに、ビンサイズに適合した微細な押圧位置調整ができ、螺合方式のため押圧体の自然移動が阻止される。本発明では溝部を有するクッション体間にビンを押圧するため、押圧時のビン位置ずれを防ぎ、またビン損傷の恐れもない。
記述例では外体二分割方式としたので、内体交換が容易である。なお、外体前部に段部を有するように適宜形状の物品を取り付けることにて、これをビンの蓋にあてがってその上下位置を定め、既述の本品と併用すれば、本品２個にて蓋を開けることができる。
また外体下面に発泡ゴムシート等による滑り止め体２９を設けると、作業時の外体位置を安定させることができる。なお、握持部と中空角体を円筒形として、中空角体の回り止めのための凸部を側面に設ける方式も可能である。
以上のごとく、本発明によってビン等の本体を固定して容易に蓋を開けることのできる有用なる用具を得ることができる。
【図面の簡単な説明】
【０００８】
【図１】  本発明の外体の平面図
【図２】  本発明の外体の正面図
【図３】  本発明の外体の構造説明図（分離時）
【図４】  本発明の内体構造説明図（正面視）
【図５】  本発明の内体構造説明図（右側面視）
【図６】  本発明の外体と内体の組み合わせ説明図
【図７】  本発明の使用状態図
【図８】  本発明の使用状態図
【符号の説明】
【０００９】１    外体
２    前部
３    握持部
４    空隙
５    上凸部
６    蓋板
７    弧状凹部
８    中空部
９    係合突起
１０  固定側クッション体
１１  溝
２０  内体
２１  中空角体
２２  螺合体
２３  回動軸
２４  ストッパー
２５  円柱状部分
２６  ハンドル
２７  押圧体
２８  可動側クッション体
２９  滑り止め体
【図１】
2011240988.tif 000003
【図２】
2011240988.tif 000004
【図３】
2011240988.tif 000005
【図４】
2011240988.tif 000006
【図５】
2011240988.tif 000007
【図６】
2011240988.tif 000008
【図７】
2011240988.tif 000009
【図８】
2011240988.tif 000010